(57)【要約】【課題】信号線と励磁線との間の静電シールドの信頼性が向上された電磁流量計を提供する。【解決手段】電磁流量計本体に連結管を介して取り付けられた変換器あるいは端子箱と、前記連結管内を通して設けられこの変換器あるいは端子箱と前記電磁流量計本体とを連通する信号線と励磁線と具備する電磁流量計において、前記電磁流量計本体に対して前記連結管の軸に対して回転自由に取り付けられた変換器あるいは端子箱と、前記信号線あるいは励磁線のいずれか一方を覆って設けられた変形自在な金属チューブとを具備したことを特徴とする電磁流量計である。【選択図】        図１
2004347351.tif 000002
【特許請求の範囲】
【請求項１】
電磁流量計本体に連結管を介して取り付けられた変換器あるいは端子箱と、
前記連結管内を通して設けられこの変換器あるいは端子箱と前記電磁流量計本体とを連通する信号線と励磁線と
を具備する電磁流量計において、
前記電磁流量計本体に対して前記連結管の軸に対して回転自由に取り付けられた変換器あるいは端子箱と、
前記信号線あるいは励磁線のいずれか一方を覆って設けられた変形自在な金属チューブと
を具備したことを特徴とする電磁流量計。
【請求項２】
前記変形自在な金属チューブはシールド用屈曲性金属チューブであること
を特徴とする請求項１記載の電磁流量計。
【請求項３】
前記変形自在な金属チューブは線密度の高い編組シールド線よりなる金属チューブであること
を特徴とする請求項１記載の電磁流量計。
【発明の詳細な説明】
【０００１】
【発明の属する技術分野】
本発明は、信号線と励磁線との間の静電シールドの信頼性が向上された電磁流量計に関するものである。
【０００２】
【従来の技術】
図２は、従来より一般に使用されている従来例の構成説明図で、例えば、稲橋一彦発行、計装メーカが書いたフィールド機器・虎の巻、第１版、（有）工業技術社、平成１３年４月１７日、Ｐ７６、図４−２−４に示されている（例えば、非特許文献１参照。）。
【０００３】
図において、１は測定管で、この場合は、セラミックスが使用されている。
２は測定管１に設けられた励磁コイルである。
３は励磁コイル２に一端が接続された励磁線である。
【０００４】
４は一端側が測定管１に設けられた連結管である。
連結管４の他端側には、変換器あるいは端子箱が取り付けられる、この場合は、図示されていない。
【０００５】
５は測定電極である。
６は測定電極に一端が接続された信号線である。
７は連結管４内に設けられ励磁線３と信号線６とを、分けてシールドするシールド板である。
【非特許文献１】
稲橋一彦発行、計装メーカが書いたフィールド機器・虎の巻、第１版、
（有）工業技術社、平成１３年４月１７日、Ｐ７６、図４−２−４。
【０００６】
【発明が解決しようとする課題】
しかしながら、このような装置においては、以下の問題点がある。
端子箱、あるいは変換器の向きは取り付け工事の都合でしばしば変えたい場合がある。
また、表示付きの変換器では、流量計のおかれた場所の都合で、表示器を見やすい方向に向けたいために、変換器の向きを変えたい場合がしばしば生じる。
【０００７】
従来は信号線６と励磁線３との間にシールド板７が設けられているために、端子箱、あるいは変換器の向きを変えることができず、無理に行おうとすると、信号線６あるいは励磁線３が切断される。
【０００８】
また切断されなくても信号線６と励磁線３が接触するために、静電シールドが不完全になり、信号線３に励磁線３からの静電ノイズが載り、測定出力に誤差が生じてしまう。
【０００９】
本発明の目的は、上記の課題を解決するもので、検出器の端子箱、あるいは変換器の向きを右または左回りに、例えば、半回転ほど行っても、信号線あるいは励磁線を切断することなく、十分な静電シールドが確保出来る電磁流量計を提供する。
即ち、信号線と励磁線との間の静電シールドの信頼性が向上された電磁流量計を提供することにある。
【００１０】
【課題を解決するための手段】
このような目的を達成するために、本発明では、請求項１の電磁流量計においては、
電磁流量計本体に連結管を介して取り付けられた変換器あるいは端子箱と、前記連結管内を通して設けられこの変換器あるいは端子箱と前記電磁流量計本体とを連通する信号線と励磁線とを具備する電磁流量計において、
前記電磁流量計本体に対して前記連結管の軸に対して回転自由に取り付けられた変換器あるいは端子箱と、前記信号線あるいは励磁線のいずれか一方を覆って設けられた変形自在な金属チューブとを具備したことを特徴とする。
【００１１】
本発明の請求項２においては、請求項１記載の電磁流量計において、
前記変形自在な金属チューブはシールド用屈曲性金属チューブであることを特徴とする。
【００１２】
本発明の請求項３においては、請求項１記載の電磁流量計において、
前記変形自在な金属チューブは線密度の高い編組シールド線よりなる金属チューブであることを特徴とする。
【００１３】
【発明の実施の形態】
以下図面を用いて本発明を詳しく説明する。
図１は本発明の一実施例の要部構成説明図である。
図において、図２と同一記号の構成は同一機能を表す。
以下、図２と相違部分のみ説明する。
【００１４】
変換器あるいは端子箱は、電磁流量計本体１に対して、連結管４の軸に対して回転自由に取り付けられている。
この場合は、端子箱１１が使用されている。
【００１５】
変形自在な金属チューブ１２は、信号線６あるいは励磁線３のいずれか一方を覆って設けられている。
この場合は、励磁線３を覆って設けられている。
また、変形自在な金属チューブ１２は、この場合は、シールド用屈曲性金属チューブが使用されている。
【００１６】
なお、変形自在な金属チューブ１２は、線密度の高い編組シールド線よりなる金属チューブが使用されても良い。
なお、シールド用屈曲性金属チューブ１２の一端は、固定・接地用クランプ１３で、端子箱１１に接地されている。
【００１７】
以上の構成において、検出器の端子箱、あるいは変換器１１の向きを右または左回りに、例えば、半回転ほど行っても、信号線６あるいは励磁線３を切断することなく、十分な静電シールドも確保出来る。
【００１８】
この結果、
電磁流量計本体１に対して、変換器あるいは端子箱１１の向きを変更可能とした電磁流量計が得られる。
検出器の端子箱１１、あるいは変換器の向きを右または左回りに、例えば、半回転ほど行っても、信号線６あるいは励磁線３を切断することなく、十分な静電シールドが確保出来る電磁流量計が得られる。
即ち、信号線６と励磁線３との間の静電シールドの信頼性が向上された電磁流量計が得られる。
【００１９】
変形自在な金属チューブ１２は、シールド用屈曲性金属チューブ１２を使用したので、シールド用屈曲性金属チューブ１２は市場性が有り、容易に入手できるので、安価な電磁流量計が得られる。
【００２０】
変形自在な金属チューブ１２が、線密度の高い編組シールド線よりなる金属チューブ１２が使用されれば、線密度の高い編組シールド線はより柔軟性が高いので、変換器あるいは端子箱１１の向きを、より柔軟に変更可能とした電磁流量計が得られる。
【００２１】
検出器の端子箱１１、あるいは変換器の向きを右または左回りに、例えば、半回転ほど行っても、信号線６あるいは励磁線３を切断することなく、柔軟性を活かして、更に、十分な静電シールドが確保出来る電磁流量計が得られる。
即ち、信号線６と励磁線３との間の静電シールドの信頼性が向上された電磁流量計が得られる。
【００２２】
なお、以上の説明は、本発明の説明および例示を目的として、特定の好適な実施例を示したに過ぎない。したがって本発明は、上記実施例に限定されることなく、その本質から逸脱しない範囲で更に多くの変更、変形をも含むものである。
【００２３】
【発明の効果】
以上説明したように、本発明の請求項１によれば、次のような効果がある。
電磁流量計本体に対して、変換器あるいは端子箱の向きを変更可能とした電磁流量計が得られる。
検出器の端子箱、あるいは変換器の向きを右または左回りに、例えば、半回転ほど行っても、信号線あるいは励磁線を切断することなく、十分な静電シールドが確保出来る電磁流量計が得られる。
即ち、信号線と励磁線との間の静電シールドの信頼性が向上された電磁流量計が得られる。
【００２４】
本発明の請求項２によれば、次のような効果がある。
変形自在な金属チューブは、シールド用屈曲性金属チューブを使用したので、シールド用屈曲性金属チューブは市場性が有り、容易に入手できるので、安価な電磁流量計が得られる。
【００２５】
本発明の請求項３によれば、次のような効果がある。
変形自在な金属チューブは、線密度の高い編組シールド線よりなる金属チューブが使用されたので、線密度の高い編組シールド線はより柔軟性が高いので、変換器あるいは端子箱の向きを、より柔軟に変更可能とした電磁流量計が得られる。
検出器の端子箱、あるいは変換器の向きを右または左回りに、例えば、半回転ほど行っても、信号線あるいは励磁線を切断することなく、柔軟性を活かして、更に、十分な静電シールドが確保出来る電磁流量計が得られる。
即ち、信号線と励磁線との間の静電シールドの信頼性が向上された電磁流量計が得られる。
【００２６】
従って、本発明によれば、信号線と励磁線との間の静電シールドの信頼性が向上された電磁流量計を実現することが出来る。
【図面の簡単な説明】
【図１】本発明の一実施例の要部構成説明図である。
【図２】従来より一般に使用されている従来例の要部構成説明図である。
【符号の説明】
１      測定管
２      励磁コイル
３      励磁線
４      連結管
５      測定電極
６      信号線
７      シールド板
１１    端子箱
１２    シールド用屈曲性金属チューブ
１３    固定・接地用クランプ
【図１】
2004347351.tif 000003
【図２】
2004347351.tif 000004